(57)【要約】      （修正有）【課題】トナーカートリッジ内の湿気を吸収し、その中に収容されているトナーを乾燥した状態に維持するトナーカートリッジを提供する。【解決手段】トナーカートリッジ除湿構造は、トナーカートリッジ１を備える。トナーカートリッジ内には、チャンバ１１が形成される。トナーカートリッジ側には、粉排出口が設けられ、粉排出口はチャンバと連通する。チャンバ内には、少なくとも１つの除湿体３が連結固定される。チャンバの周面には、チャンバ壁が形成される。チャンバ壁には、少なくとも１つの嵌槽１４が形成される。嵌槽には、除湿体がそれぞれ対応して嵌設される。除湿体は、複数の多孔質の二酸化ケイ素吸着体粉末と接着剤とが混合され、焼結して形成される。【選択図】図１
0003221935.tif 000002
【実用新案登録請求の範囲】
【請求項１】
トナーカートリッジを備えたトナーカートリッジ除湿構造であって、
前記トナーカートリッジ内には、チャンバが形成され、
前記トナーカートリッジの一側には、粉排出口が設けられ、
前記粉排出口は前記チャンバと連通し、
前記チャンバ内には、少なくとも１つの除湿体が連結固定されることを特徴とする、
トナーカートリッジ除湿構造。
【請求項２】
前記チャンバの周面には、チャンバ壁が形成され、前記チャンバ壁には、少なくとも１つの嵌槽が形成され、前記嵌槽には、前記除湿体がそれぞれ対応して嵌設されることを特徴とする請求項１に記載のトナーカートリッジ除湿構造。
【請求項３】
前記除湿体は、複数の多孔質の二酸化ケイ素吸着体粉末と接着剤とが混合され、焼結して形成されることを特徴とする請求項１に記載のトナーカートリッジ除湿構造。
【考案の詳細な説明】
【技術分野】
【０００１】
本考案は、トナーカートリッジ除湿構造であって、特に、トナーカートリッジ内の湿気を吸収し、その中に収容されたトナーを乾燥した状態に維持するトナーカートリッジ除湿構造に関する。
【背景技術】
【０００２】
コピー機、プリンターなどの電子撮像装置は、文書、図などの資料を完全に複製することができるため、書き写す時間を節約することができる。そのため、現代のオフィスにおいて必要不可欠な装置となっている。
【０００３】
コピー機、プリンターなどの電子撮像装置にとって最も重要な装置のうちの一つはトナーカートリッジである。従来のトナーカートリッジはカートリッジ内のトナーを完全に排出させることを目的とするが、トナーカートリッジ内のトナーが湿気を吸収することを防いだり、除湿したりすることに関しては全く考慮されておらず、従来の電子撮像装置は、トナーが湿気を吸って固まり、コピー又は印刷した文字や図の線などがぼやけてはっきりとせず、複製した資料の品質が悪く、トナーが不用意に浪費されることがあった。
【考案の概要】
【考案が解決しようとする課題】
【０００４】
本考案の目的は、トナーカートリッジ内の湿気を吸収し、その中に収容されているトナーを乾燥した状態に維持するトナーカートリッジ除湿構造を提供することにある。
【課題を解決するための手段】
【０００５】
上記課題を解決するために、本考案の第１の形態によれば、トナーカートリッジを備えたトナーカートリッジ除湿構造であって、前記トナーカートリッジ内には、チャンバが形成され、前記トナーカートリッジの一側には、粉排出口が設けられ、前記粉排出口は前記チャンバと連通し、前記チャンバ内には、少なくとも１つの除湿体が連結固定されることを特徴とする、トナーカートリッジ除湿構造を提供する。
【０００６】
前記チャンバの周面には、チャンバ壁が形成され、前記チャンバ壁には、少なくとも１つの嵌槽が形成され、前記嵌槽には、前記除湿体がそれぞれ対応して嵌設されることが好ましい。
【０００７】
前記除湿体は、複数の多孔質の二酸化ケイ素吸着体粉末と接着剤とが混合され、焼結して形成されることが好ましい。
【考案の効果】
【０００８】
本考案のトナーカートリッジ除湿構造は、平常時にトナーカートリッジのチャンバ壁に設けた除湿体により、トナーカートリッジ内の湿気を吸収し、カートリッジ内のトナーを乾燥した状態に維持する。トナーカートリッジ内のトナーを回転杆によりほぐすと、カートリッジ内のトナーが攪拌されて変位され、カートリッジ内の各トナーの微粒子が均一となる。これによってチャンバの壁面に設けた除湿体と接触され、除湿体によりトナーの湿気を直接吸収し、トナーカートリッジ内のトナーが湿気を吸収して固まることを防ぎ、細かいパウダー状に排出されるようにすることで、複製する資料の画質を高め、トナーが不用意に浪費されることを防ぐことができる。
【図面の簡単な説明】
【０００９】
【図１】本考案の一実施形態に係るトナーカートリッジ除湿構造を示す分解斜視図である。
【図２】本考案の一実施形態に係るトナーカートリッジ除湿構造を示す立体斜視図である。
【図３】本考案の一実施形態に係るトナーカートリッジ除湿構造を示す断面斜視図である。
【考案を実施するための形態】
【００１０】
図１〜図３を参照する。図１〜図３に示すように、本考案の一実施形態に係るトナーカートリッジ除湿構造は、少なくともトナーカートリッジ１から構成されてなる。
トナーカートリッジ１内には、チャンバ１１が形成されている。チャンバ１１の周面には、チャンバ壁が形成されている。トナーカートリッジ１の一側には、粉排出口１２が設けられる。粉排出口１２はチャンバ１１と連通する。トナーカートリッジ１のチャンバ１１内には、回転杆２が設けられる。回転杆２の両端には、回転軸２１が形成され、トナーカートリッジ１の対応する２つの端部には軸孔１３がそれぞれ形成され、回転杆２の両端の回転軸２１がトナーカートリッジ１の両端の軸孔１３にそれぞれ枢設され、トナーカートリッジ１のチャンバ１１内に回転杆２が回転可能に取り付けられる。
回転杆２上には、少なくとも１つのレバー２２が取り付けられ、トナーカートリッジ１のチャンバ１１のチャンバ壁には、少なくとも１つの嵌槽１４が形成されている。本実施形態において、トナーカートリッジ１両端の隣り合うチャンバ１１のチャンバ壁には、嵌槽１４がそれぞれ形成されている。嵌槽１４中には、除湿体３がそれぞれ嵌設される。除湿体３は、複数の多孔質の二酸化ケイ素吸着体粉末と接着剤とが混合されて焼結して形成されたものである。
【００１１】
実際に組み立てて使用する際、本実施形態のトナーカートリッジ１は、コピー機、プリンターなどの電子撮像装置の内部に取り付けられ、通常状態ではトナーカートリッジ１のチャンバ１１の壁面の嵌槽１４に設けた除湿体３により、トナーカートリッジ１のチャンバ１１内の湿気を吸収し、トナーカートリッジ１のチャンバ１１内に収容したトナーなどを乾燥した状態に維持する。
【００１２】
電子撮像装置を使用して資料を複製するとき、トナーカートリッジ１のチャンバ１１内に設けた回転杆２は、トナーカートリッジ１に対して旋回させると、回転杆２上に設けたレバー２２によりトナーカートリッジ１のチャンバ１１内に収容されたトナーをトナーカートリッジ１の粉排出口１２へ向かってほぐし、粉排出口１２からトナーをスムーズに排出し、電子撮像装置で資料を複製することができる。
【００１３】
回転杆２が旋回するとトナーがほぐされて攪拌され、トナーカートリッジ１内に収容されたトナーの微粒子が均一となり、トナーカートリッジ１のチャンバ１１のチャンバ壁に設けた除湿体３と接触されることで、除湿体３によりトナーの湿気を直接吸収することができる。
これにより、トナーカートリッジ１内のトナーが湿気を吸収して固まることを防ぎ、粉排出口１２から排出できるように細かいパウダー状に形成し、複製する資料の文字や図の線などの画質を高め、資料の複製品質を高め、トナーが不用意に浪費されることを防ぐ。
【００１４】
上述した実施形態又は図面は、本考案のトナーカートリッジ除湿構造を制限するわけではない。例えば、トナーカートリッジ１は、チャンバ１１のチャンバ壁の嵌槽１４を設けることを省略し、トナーカートリッジ１のチャンバ１１のチャンバ壁と除湿体３との間に、１層の接着剤を塗布し、接着剤により除湿体３をトナーカートリッジ１のチャンバ１１のチャンバ壁に直接接着し、トナーカートリッジ１のチャンバ１１内に収容したトナーを除湿させる効果を同様に得てもよい。
当該分野の技術を熟知するものが理解できるように、実用新案登録請求の範囲の精神及び範囲から逸脱しない限り、様々な修正、変更又は置換を行ったものも本考案の保護範囲に含まれる。
【００１５】
上述したことから分かるように、本考案のトナーカートリッジ除湿構造は、以下（１）〜（３）の長所を有する。
（１）トナーカートリッジのチャンバ壁に設けられた除湿体は、通常状態でトナーカートリッジのチャンバ内の湿気を吸収し、トナーカートリッジのチャンバ内に収容したトナーを乾燥した状態に維持する。
（２）トナーカートリッジのチャンバ壁には、除湿体が設けられているため、回転杆の旋回によりトナーをこねると、トナーが攪拌されて変位し、各トナーの微粒子が均一にチャンバ壁に設けた除湿体と接触することで、除湿体によりトナーの湿気を吸収し、トナーを乾燥した状態に維持する。
（３）トナーカートリッジ内に収容したトナーを乾燥した状態に維持し、トナーカートリッジ内のトナーが湿気を吸収して固まることを防ぎ、トナーをパウダー状に排出し、複製された資料の画質を高めるとともに、トナーが不用意に浪費されることを防ぐ。
【符号の説明】
【００１６】
１  トナーカートリッジ
２  回転杆
３  除湿体
１１  チャンバ
１２  粉排出口
１３  軸孔
１４  嵌槽
２１  回転軸
２２  レバー
【図１】
0003221935.tif 000003
【図２】
0003221935.tif 000004
【図３】
0003221935.tif 000005